(57)【特許請求の範囲】
【請求項１】
バックル内に挿通されたベルト本体を係止するために筐体内側面部方向に付勢される圧接部と、圧接部の係止状態を解除するために操作を行う操作部を有し、操作部と圧接部を非一体の部材で構成することにより操作部をバックルの身体側とは反対側に配置され、操作部には従動節が接合されており、従動節と圧接部の間に作用点杆が配置され、圧接部と作用点杆と従動節はベルト本体の係止状態を解除するために操作部を操作した時には操作部の動力を圧接部に伝達するために作用点杆を介して間接的に従動節と圧接部が接触し操作部の動力が圧接部に伝達されるが、バックルを挿通するベルト本体先端部に押し動かされて圧接部が揺動運動する際は作用点杆が圧接部と従動節を介さないように構成され圧接部と従動節が間接的に接触しないため圧接部の動力が操作部に伝達しないように構成され、無段階調節にて装着することができることを特徴とするベルト用バックル。
【請求項２】
請求項１記載のベルト用バックルをベルト本体のバックル側の端部に取り付けてなることを特徴とするベルト。

【発明の詳細な説明】
【技術分野】
【０００１】
本発明は、装身具に用いるベルト用バックル及びベルトの構造に関する。
【背景技術】
【０００２】
従来の、衣服等に用いるベルト用バックル及びベルトの構造は、図１３に示すピン式ベルト４１、図１４に示すトップ式ベルト４４及び図１５に示すバックル式ベルト４７が代表的なものである。
ピン式ベルト４１はベルト本体の先端部に数個のピン用小穴４３を設け、ベルト本体の先端部をベルト本体のバックル側部より外側に巻いて（以下、外巻き式と称す）装着する。
トップ式ベルト４４はベルト本体の先端部に数個の突子用小穴４６を設け、ベルト本体の先端部をベルト本体のバックル側部より内側に巻いて（以下、内巻き式と称す）装着する。
バックル式ベルト４７は小穴を使用しないためウエストサイズを無段階調節にて、ベルト本体の先端部を外巻き式に装着する。
【先行技術文献】
【特許文献】
【０００３】
【特許文献１】実公昭４３−９０５１号広報
【特許文献２】特開２００５−２１８６９８号広報
【発明の概要】
【発明が解決しようとする課題】
【０００４】
しかしながら、上記の各構造によれば、まずピン式ベルト４１については、ベルトを装着している間はベルト本体の先端部がベルト本体のバックル側部より外側に出るため、手や上着などに引っ掛かってしまい動や作業の妨げとなってしまっていた。
ベルトの装着時や取り外し時にはベルト本体を曲げなければならず、ベルト本体を曲げる行為がベルト本体の亀裂の発生を助長してしまう。またベルトにピン用小穴４３を開けなければならず、ピン用小穴４３に負荷が集中してしまうことによりピン用小穴４３そのものが劣化の原因でもあった。ベルトをより早く劣化させ、また見た目にもよいとは言えない。
さらに、装着時のベルトの長さの調節は、ベルト本体のピン用小穴４３の間隔に左右され、使用者のウエストサイズにはジャストフィットすることが少ない。使用者のウエストサイズは、一日の時間帯別に見ても、空腹時と満腹時とで日中差が有り、特に食事中や満腹時にベルトを緩める動作を他人に見られることはエチケットに反してしまうため、人前でさりげなくベルトを緩めることができない構造である。
【０００５】
トップ式ベルト４４については、特に突子用小穴４６には切り込みが設けられることが多く、突子用小穴４６の消耗が進むほど、突子４５が突子用小穴４６より外れやすくなり、使用者の意図しないタイミングでベルトが外れることが頻発するようになってしまう。
やはり、ベルト本体に突子用小穴４６がある為にベルト本体の劣化を早めてしまう。
また装着時のベルトの長さの調節は、ベルト本体の突子用小穴４６の間隔に左右され、使用者のウエストサイズにはジャストフィットすることが少ない構造である。
【０００６】
バックル式ベルト４７はベルトの装着時と取り外し時に、一旦バックル本体５０をベルト本体取り付け部４９に対して接合軸４８で折り曲げないと係止部５１の係止状態を解除することができず、ベルトの装着時と取り外し時に腹部を圧迫せざるを得ず人体に負担がかかっていた。
また、ベルトを装着している間はベルト本体の先端部がベルト本体のバックル側部より外側に出るため、手や上着などに引っ掛かってしまい動作や作業のさまたげとなってしまっていた。
【０００７】
本発明は、上記従来の欠点を解消するためになされたものであり、ベルトの装着時や取り外し時に、使用者の身体を全く締め付けることがないと共に、より小さい力と動作で容易に操作ができ、ベルト本体の劣化を低減し、ベルト本体の先端部を内巻き式にて着用することができるベルト用バックル及びベルトを提供することを目的とする。
【課題を解決するための手段】
【０００８】
上記の課題を解決するために、第一発明は、バックル内に挿通されたベルト本体を係止するために筐体内側面部方向に付勢される圧接部と、圧接部の係止状態を解除するために操作を行う操作部を有し、操作部と圧接部を非一体の部材で構成することにより操作部をバックルの身体側とは反対側に配置され、操作部には従動節が接合されており、従動節と圧接部の間に作用点杆が配置され、圧接部と作用点杆と従動節はベルト本体の係止状態を解除するために操作部を操作した時には操作部の動力を圧接部に伝達するために作用点杆を介して間接的に従動節と圧接部が接触し操作部の動力が圧接部に伝達されるが、バックルを挿通するベルト本体先端部に押し動かされて圧接部が揺動運動する際は作用点杆が圧接部と従動節を介さないように構成され圧接部と従動節が間接的に接触しないため圧接部の動力が操作部に伝達しないように構成され、無段階調節にて装着することができるベルト用バックルであることを特徴とする。
【０００９】
また、第二発明は上記記載のベルト用バックルをベルト本体のバックル側の端部に取り付けてなるベルトであることを特徴とする。
【発明の効果】
【００１０】
第一発明、第二発明によれば、ベルト本体に小穴を開けなくて済み、また、ベルト装着時や取り外し時にベルト本体を曲げなくて済むため、ベルト本体の劣化を低減することができる。
ベルトの装着時のウエストへの長さ調節を無段階調節にて内巻き式で装着することができ、ベルト本体先端側部がベルト本体バックル側部より内側に収納されるため、手や上着などがベルト本体先端側部に引掛からなくなり動作や作業の妨げとならなくなる。
ベルト装着時や取り外し時に使用者の身体を全く締め付けることがなく、身体への負担を軽減できる。
装着時には操作部の操作は必要なく、ベルト本体先端側部をバックルに差し込む動作だけにすることができ、ベルト本体の係止状態の解除は操作部を操作する動作だけにすることができ、より小さい力と動作で操作することができる。
【図面の簡単な説明】
【００１１】
【図１】本発明の一実施形態（レバー式）を示す斜視図である。
【図２】本発明の一実施形態（レバー式）を示す一部透視図を用いた分解斜視図である。
【図３】本発明の一実施形態（レバー式）のレバー式作用点杆連係用軸受けを説明するための略図である。
【図４】本発明の一実施形態（レバー式）のベルト本体先端部を挿入する前のバックル本体内部の状態を示す上部から見た一部透視断面図である。
【図５】本発明の一実施形態（レバー式）のベルト本体先端部を挿中のバックル本体内部の状態を示す上部から見た一部透視断面図である。
【図６】本発明の一実施形態（レバー式）のベルト本体先端部を抜き出す際のバックル本体内部の状態を示す上部から見た一部透視断面図である。
【図７】本発明の一実施形態（レバー式）の筐体内部を示す筐体内側面部より見た一部透視断面図である。
【図８】本発明の一実施形態（スライダー式）のスライダー式作用点杆連係用軸受けを説明するための略図である。
【図９】本発明の一実施形態（スライダー式）のベルト本体先端部を挿入する前のバックル本体内部の状態を示す上部から見た一部透視断面図である。
【図１０】本発明の一実施形態（スライダー式）のベルト本体先端部を挿中のバックル本体内部の状態を示す上部から見た一部透視断面図である。
【図１１】本発明の一実施形態（スライダー式）のベルト本体先端部を抜き出す際のバックル本体内部の状態を示す上部から見た一部透視断面図である。
【図１２】本発明の一実施形態（スライダー式）の筐体内部を示す筐体内側面部より見た一部透視断面図である。
【図１３】従来技術の一実施形態であるピン式ベルトの斜視図である。
【図１４】従来技術の一実施形態であるトップ式ベルトの斜視図である。
【図１５】従来技術の一実施形態であるバックル式ベルトの斜視図である。
【発明を実施するための形態】
【００１２】
本発明の操作部にレバーを用いたバックル及びベルトをレバー式バックル及びレバー式ベルトと称し実施例１にて、スライダーを用いたバックル及びベルトをスライダー式バックル及びベルトと称し実施例２にて説明する。各実施例において共通する部材の符号には同一の番号を使用し、番号に続けて実施例１にはaを、実施例２にはbを付して表した。
操作部に接合され操作部の動力を作用点杆に伝達する部材を従動節と称することとし、従動節と圧接部の間に配置され従動節の動力を圧接部に伝達する部材を作用点杆と称することとする。
【実施例１】
【００１３】
図１は本発明のレバー式ベルトの斜視図である。ベルト本体接続部２７aにより枢軸２６aを介してベルト本体バックル側部２８aとレバー式筐体１、レバー２が接続されたバックルに、皮革、合成皮革、布等に代表される従来技術の素材からなるベルト本体が、ベルト本体接続部２７aにより接続された全体図である。
【００１４】
図２はレバー式バックルの一部透視図を用いた分解斜視図である。レバー２にはレバー従動節６が接合され、枢軸２６aによりレバー式筐体１に接続される。レバー従動節６の先端には作用点杆２５aが接合され、作用点杆２５aは圧接部２１aに施されたレバー式作用点杆連係用軸受け４を挿通して接続される。
レバー２には、ベルト本体先端側部２９aが誤って圧接部２１aとレバー式筐体外側面部３との隙間に入り込まないように、ベルト本体先端挿入ガイド３０aが施されている。
枢軸２６aに取り付けられたレバー用バネ５により、レバー２とレバー式筐体１が閉じられた状態すなわちレバー定位置となるようにレバー２が付勢されている。
また、枢軸２６aはベルト本体接続部２７aを接続する軸を兼ねている。
【００１５】
圧接部２１aは圧接部軸２４aによりレバー式筐体１に接続される。圧接部軸２４aに取り付けられた圧接部用バネ２３aにより筐体内側面部３１a方向に弾力がかけられた状態すなわち圧接部定位置となるように付勢されている。
ベルト本体が挿入された際に圧接部２１aのベルト本体と接する部分に係止突起２２aが施されている。より係止力が増すために筐体内側面部３１aの筐体内側の表面は適度な凹凸が加工されていることが望ましい。
【００１６】
ベルト本体を挟んだ際に圧接部２１aの圧力を受ける位置ならば、筐体内側面部３１a側に係止突起２２aを圧接部２１a側に凹凸を施すこともできるが、圧接部２１a側に係止突起２２aを施した方が、ベルト本体に抜かれようとする力が加わるほど圧接部２１aのベルト本体を係止しようとする力が増す。そのため、圧接部用バネ２３aをより弾力の弱いものとすることができ、ベルトの装着時にベルト本体先端側部２９aをバックルに挿入する際により小さい力で挿入することができる。
【００１７】
もっとも、レバー操作を行い圧止部２１aと筐体内側面部３１aとの間隔を広げた状態すなわち係止解除状態でのベルト本体先端側部２９aの挿入は、摩擦抵抗がないためより小さい力で挿入することができる。
【００１８】
図３はレバー式作用点杆連係用軸受け４の形状と枢軸２６a、作用点杆２５a、圧接部軸２４aとの位置関係を表す略図である。レバー式作用点杆連係用軸受け４の圧接部軸２４aから遠い位置近辺にある内面が作用点杆回避面３４aであり、圧接部軸２４aに対して同心円となっているため、レバー定位置の状態でも作用点杆２５aが圧接部２１aの揺動運動を妨げることがない。よって、レバー定位置の状態でもベルト本体先端側部２９aを挿入することができる。
【００１９】
レバー式作用点杆連係用軸受け４の枢軸２６aより遠い位置近辺にある内面がレバー作用点杆揺動面８である。レバーが操作され作用点杆２５aがレバー作用点杆滑動面７方向へ移動する際に干渉しない形状であれは良い。
【００２０】
レバー式作用点杆連係用軸受け４のレバー式筐体外側面部３側近辺にある内面がレバー作用点杆滑動面７である。レバー操作により係止状態を解除する際、作用点杆２５aの負荷がかかる面であり、レバーの揺動に応じて効果的に動力が伝達する形状であればよい。
【００２１】
図４はレバー式筐体１の筐体上面支持部３２aを取り除いた断面図である。ベルト本体先端側部２９aが挿入される前の状態である。レバー２は、レバー用バネ５の弾力によりレバー定位置となっている。圧接部２１aは、圧接部用バネ２３aの弾力により圧接部定位置となっている。
【００２２】
図５は図４の断面図を、ベルト本体先端側部２９aが挿入され、圧接部２１aが押し動かされた状態となった図である。圧接部２１aが作用点杆２５aに干渉されないため、ベルト本体先端部２９aが圧接部２１aを押し動かすことができるので、レバー操作を行わなくてもベルトを装着することができる。
ベルト本体先端側部２９aが圧接部２１aと筐体内側面部３１aの間を挿通され、ベルト本体先端側部２９aがベルト本体バックル側部２８aと使用者の身体の間に納まり内巻き式にベルトを装着することができる。
【００２３】
図６は図５の断面図を、ベルト本体を取り外すためにレバー２の操作を行い係止解除状態にした図である。レバー２を操作することによりレバー従動節６を従動し、作用点杆２５aが圧接部２１aを筐体内側面部３１a側から引き離してベルト本体の係止状態が解除されている。
レバーを操作する際に指をバックルと身体の間に差し込むことなく、またバックルをベルト本体接続部２７aに対して回動させなくても係止解除を行うことができるため、使用者の身体を全く締め付けることなくベルトを取り外すことができる。
【００２４】
図７は筐体内側面部３１a及びベルト本体接続部内側面部３３aを取り除き、レバー式筐体１及びベルト本体接続部２７aの内部を筐体内側面部３１a側から表した断面図である。枢軸２６aにレバー式筐体１、ベルト本体接続部２７a、レバー従動節６、レバー用バネ５を取り付けることにより部品数を少なくすることで生産コストを抑えることができ、レバー式筐体１を小型軽量化することができる。
【実施例２】
【００２５】
図８は、本発明のスライダー式バックルのスライダー式作用点杆連係用軸受け１４の形状と枢軸２６b、作用点杆２５b、圧接部軸２４bとの位置関係を表す略図である。スライダー式作用点杆連係用軸受け１４の圧接部軸２４bから遠い位置近辺にある内面が作用点杆回避面３４bであり、圧接部軸２４bに対して同心円となっているため、スライダー１２がベルト本体接続部２７b側に引き寄せられた状態すなわちスライダー定位置の状態でも作用点杆２５bが圧接部２１bの揺動運動を妨げることがない。よって、スライダー定位置の状態でもベルト本体先端側部２９bを挿入することができる。
【００２６】
もっとも、スライダー操作を行い係止解除状態でのベルト本体先端側部２９bの挿入は、摩擦抵抗がないためより小さい力で挿入することができる。
【００２７】
スライダー式作用点杆連係用軸受け１４のスライダー式筐体外側面部１３側近辺にある内面がスライダー作用点杆滑動面１７である。スライダー操作により係止状態を解除する際、作用点杆２５bの負荷がかかる面であり、スライダー操作を行い作用点杆２５bが圧接部軸２４bに近づくほど圧接部２１bが係止解除状態の位置に揺動するように傾斜がつけれらた形状となっている。
【００２８】
図９はスライダー式筐体１１の上面支持部３２aを取り除いた断面図である。ベルト本体先端側部２９bが挿入される前の状態である。スライダー１２は、枢軸２６bに取り付けられたスライダー用バネ15により、スライダー定位置となるように付勢されている。圧接部２１bは、圧接部軸２４bに取り付けられた圧接部用バネ２３bにより圧接部定位置となっており筐体内側面部３１b方向に付勢されている。
【００２９】
図１０は、図９の断面図を、ベルト本体先端側部２９bが挿入され、圧接部２１bが押し動かされた状態となった図である。圧接部２１bが作用点杆２５bに干渉されないため、ベルト本体先端部２９bが圧接部２１bを押し動かすことができるので、レバー操作を行わなくてもベルトを装着することができる。
ベルト本体先端側部２９bが圧接部２１bと筐体内側面部３１bの間を挿通させれ、ベルト本体先端側部２９bがベルト本体バックル側部２８bと使用者の身体の間に納まり内巻き式にベルトを装着することができる。
【００３０】
図１１は図１０の断面図を、ベルト本体を取り外すためにスライダー１２の操作を行い係止解除状態にした図である。スライダー１２を操作することによりスライダー従動節１６を従動し、作用点杆２５bが圧接部２１bを筐体内側面部３１b側から引き離してベルト本体の係止状態が解除されている。
スライダー１２を操作する際に指をバックルと身体の間に差し込むことなく、またバックルをベルト本体接続部２７bに対して回動させなくても係止解除を行うことができるため、使用者の身体を全く締め付けることなくベルトを取り外すことができる。
【００３１】
図１２は筐体内側面部３１b及びベルト本体接続部内側面部３３bを取り除き、スライダー式筐体１１及びベルト本体接続部27ｂの内部を筐体内側面部３１b側から表した断面図である。枢軸２６bにスライダー式筐体１１、ベルト本体接続部２７b、スライダー用バネ１５を取り付けることにより部品数を少なくすることで生産コストを抑えることができ、スライダー式筐体１１を小型軽量化することができる。
【符号の説明】
【００３２】
１  レバー式筐体
２  レバー
３  レバー式筐体外側面部
４  レバー式作用点杆連係用軸受け
５  レバー用バネ
６  レバー従動節
７  レバー作用点杆滑動面
８  レバー作用点杆揺動面
１１  スライダー式筐体
１２  スライダー
１３  スライダー式筐体外側面部
１４  スライダー式作用点杆連係用軸受け
１５  スライダー用バネ
１６  スライダー従動節
１７  スライダー作用点杆滑動面
１８  スライダー留め具
１９  スライダーレール
２１  圧接部
２２  係止突起
２３  圧接部用バネ
２４  圧接部軸
２５  作用点杆
２６  枢軸
２７  ベルト本体接続部
２８  ベルト本体バックル側部
２９  ベルト本体先端側部
３０  ベルト本体先端挿入ガイド
３１  筐体内側面部
３２  筐体上面支持部
３３  ベルト本体接続部内側面部
３４  作用点杆回避面
４１  ピン式ベルト
４２  ピン
４３  ピン用小穴
４４  トップ式ベルト
４５  突子
４６  突子用小穴
４７  バックル式ベルト
４８  接続軸
４９  ベルト本体取り付け部
５０  バックル本体
５１  係止部
【要約】
【課題】
ベルト本体の劣化をより低減し、無段階調節にて内巻き式にて装着することができ、ベルトの脱着時に身体を全く締め付けることがなく、より小さい力と動作で操作することができるベルト用バックル及びベルトを提供することを目的とする。
【解決手段】
ベルト本体を係止する圧接部と、圧接部の係止状態を解除するために操作を行う操作部を有し、操作部と圧接部を非一体の部材で構成することにより操作部をバックルの身体側とは反対側に配置され、操作部と圧接部は、ベルト本体の係止状態を解除するために操作部を操作した時には作用点杆を介して間接的に従動節と圧接部が接触し操作部の動力が圧接部に伝達されるが、ベルト本体に押し動かされて圧接部が揺動運動しても作用点杆が従動節と圧接部を介せず圧接部と従動節が間接的に接触しないため圧接部の動力は操作部には伝達されないよう構成され、無段階調節にて装着することができる構造とした。【図１】
0005440991.tif 000002
【図２】
0005440991.tif 000003
【図３】
0005440991.tif 000004
【図４】
0005440991.tif 000005
【図５】
0005440991.tif 000006
【図６】
0005440991.tif 000007
【図７】
0005440991.tif 000008
【図８】
0005440991.tif 000009
【図９】
0005440991.tif 000010
【図１０】
0005440991.tif 000011
【図１１】
0005440991.tif 000012
【図１２】
0005440991.tif 000013
【図１３】
0005440991.tif 000014
【図１４】
0005440991.tif 000015
【図１５】
0005440991.tif 000016